(57)【要約】      （修正有）【課題】のぼりの収納、掲示が容易なのぼりとひも状のチチを提供する。【解決手段】宣伝広告用ののぼり１上部を折り返し、一端を閉じた袋部２に形成し、同時に当該のぼりの長手方向側面に複数の帯ひも状のチチ３をＷ字状に縫製して取り付ける。【効果】のぼりの付け替えを行う際に、旗竿を分解してポールを抜き取り、のぼりを抜き取る必要がなく、容易に結束部を解くのみで取り外し、装着が可能となる。【選択図】  図１
2005258368.tif 000002
【特許請求の範囲】
【請求項１】
宣伝広告用ののぼり上部を折り返し、一端を閉じて袋状の横棒差込部２に構成し、同時に当該のぼりの長手方向側面に複数の帯ひも状のチチ３を縫製して取り付ける。この際、当該帯ひも状のチチ３を中央よりＷ形状４に折り曲げ、かかるＷ形状４の真ん中にのぼり生地を挟み込んで，チチ３の外側面よりＷ形状４の折り込みを閉じるがごとく縫製して取り付けたことを特徴とする、複数のひも状のチチ３をあらかじめ取り付けたのぼり。
【請求項２】
宣伝広告用ののぼり上部を折り返し、一端を閉じて袋状の横棒差込部２と
2005258368.tif 000010
共にホックの片面５を設けることにより、あらかじめチチとのぼりを一体化したのぼり。
【請求項３】
宣伝広告用ののぼり上部を折り返し、一端を閉じて袋状の横棒差込部２となし、のぼりの生地の一端の所要位置にあて布を設けた後、当該あて布とのぼり生地に開
2005258368.tif 000011
を、他端に差込部８を有するひも状のチチ７を当該ハトメ穴に挿入することで、のぼり本体とのぼりの旗竿を取り付けることを特徴としたのぼり。
【発明の詳細な説明】
【技術分野】
【０００１】  宣伝広告用の幟（のぼり）旗に用いるのぼり本体とこれを旗竿に取り付けるチチ輪に関するものである。
【背景技術】
【０００２】  従来技術の宣伝用幟旗は、のぼり生地本体に５〜８個の輪状のチチ輪を縫製し、これらのチチ輪に旗竿を通して用いるものである。【０００３】  あるいは、チチの縫製の手間を避けるためループ状のチチ輪を熱溶着、両面テープ等接着による方法が用いられている。【０００４】  これらのチチは、概して輪状のチチをもって構成され、当該輪状のチチに旗竿を通して用いるのである。【０００５】  また、輪状でなくひも状のチチを用いる場合もあり、この際、二本のひも状のチチ紐をそれぞれ、かかるひも状のチチをのぼり本体の上部および側面に多数設け旗竿に結びつけて用いるものであった。
【特許文献１】特願平６−３２９５７１、特開平９−１７１３６３
【発明の開示】
【発明が解決しようとする課題】
【０００６】  従来ののぼりを保持するチチ輪においては、ループ状の輪体をのぼり生地本体に縫製し、しかる後、これに旗竿を通した。このため、頻繁にのぼりの収納、提示を行うに際しては、図２に開示するように、旗竿を分解し、逐次のぼりのチチ輪を差し込み直す必要があり、非常に繁雑な作業となっていた。【０００７】  本発明では、頻繁に行われるのぼりの付け替えを容易にせんとするものである。【０００８】  また、ひも状のチチを用いる場合、二本のひも状のチチをのぼり生地を中間に挟み、縫製を行うのであるが、二本のチチをのぼり生地を介して縫製するのは繁雑な作業となっている。【０００９】  同様に本発明では、のぼり生地とチチ部の縫製を容易かつ縫製部分の強度を得る方法を提示するものである。
【課題を解決するための手段】
【００１０】  従来ループ状に構成されたチチ輪を、一本のひも状チチをＷ形状に折り曲げて、開放された二本のひも状に構成し、旗竿を介して互いに結束することによりのぼり本体を旗竿に取り付ける方法を用いる。【００１１】  このため、本発明では、帯ひも状のチチの中央部をＷ形状に折り曲げ、この折り返し部分にのぼり生地の端部を挟み込み、のぼり生地をチチごと縫い合わせ縫製の強度を得る。【００１２】  かくして、のぼりの端に設けられるチチ輪の端部を、ループ状の閉鎖した輪にせずに、結束を行える二本のひも状に構成するのである。【００１３】  併せて、のぼり生地の上面を折り返し、一端を閉じて袋状の横棒差込部２に縫製するのであるが、当該袋状の端を更に縫製により、閉鎖するのである。【００１４】のぼり生地の一端にホックの一方５を取り付け、さらにもう一方のホック
2005258368.tif 000003
ものである。【００１５】  また、のぼりの生地の端にあて布を施し、しかる後、これに穴を穿ち、ハトメを設けるのである。当該ハトメには、両端に差込の結合部を有するひも状結束具を通して用いるのである。かかる構造ののぼりの取り付けは、ひも状結束具により行われるのである。【００１６】  当該ハトメ部には、市販されている図１０に見られるような簡易結束具を用いて、旗竿に取り付けるのである。
【発明を実施するための最良の形態】
【００１７】  実施例１に述べる請求項１の発明では、図１に見られるように、のぼりの上端部を折り曲げ、袋状に縫製し、加えて当該袋状の一端を縫製により閉鎖せしめ、一端を閉じて袋状の横棒差込部２を構成する。【００１８】  一本のひも状のチチをＷ形状に折り曲げ、当該折り曲げ部に、上記の袋を有するのぼりの側面を挟み込み、縫製によりこれを取り付けるのである。【００１９】  実施例２に述べる請求項２の発明では、図８に見られるように、のぼり生地１の側面に
2005258368.tif 000004
【００２０】  実施例３に述べる請求項３の発明では、図１１に見られるように、のぼり生地１の側面にハトメ金具６をあて布と共に穿つのである。【００２１】  当該ハトメ穴６には、両端に簡易の留め具を有するチチ紐７が通されるのである。
【実施例１】
【００２２】  図５は、本発明の実施例であり、図中ひも状のチチ３は旗竿に結びつけられるのである。
【実施例２】
【００２３】  図８は、実施例２を説明する参考図であるが、図中、のぼりの上部に一端を閉じて袋状の横棒差込部２を構成し、のぼり生地の側面にはホック５が構成されている。
【実施例３】
【００２４】  図１１は、実施例３を説明する参考図であるが、図中、のぼりの上部に一端を閉じて袋状の横捧差込部２を構成し、のぼり生地の側面にはハトメ穴６が構成されている。
【産業の利用可能性】
【００２５】本発明によるのぼりは、毎日、のぼりの付け替えを行うに際し逐一、旗竿を分解し、ポールの抜き取り、のぼりの抜き取りを行う必要がなく、容易に結束部を解くのみで取り外し、装着が可能となるのである。
【００２６】のぼりの端部に取り付けられたホック部をはずすだけで容易に、のぼりと旗竿の脱着、装着が可能となるのである。
【００２７】のぼりの端部に設けられたハトメに、チチ紐を通し紐の固定を行うだけでのぼり本体の固定が容易に行えるのである。
【図面の簡単な説明】
【００２８】  図１は、本発明ののぼり生地１の上部に、一端を閉じた袋状の横棒差込部２を構成した状態の説明図である。（実施例１）【００２９】  図２は、Ｗ形状４に折り曲げられたチチの説明図である。（実施例１）【００３０】  図３は、当該Ｗ形状４とチチ生地との縫い合わせを説明する図である。（実施例１）【００３１】  図４は、のぼりに設けられたチチ紐の説明図である。（実施例１）【００３２】  図５は、本発明の説明図である。（実施例１）【００３３】  図６および図７は、従来ののぼりの取り付け状況を説明する参考図である。【００３４】  図８は、のぼり上部に設けられた、一端を閉じて袋状の横棒差込部２とのぼり生地側面に設けたホック５との関係を示す説明図である。（実施例２）【００３５】
2005258368.tif 000005
の関係を説明する参考図である。（実施例２）【００３６】
2005258368.tif 000006
る。図中Ａ、Ｂ、Ｃは簡易留め具の装着状況である。（実施例３）【００３７】  図１１は、のぼり上部に設けられた、一端を閉じて袋状の横棒差込部２とのぼり生地側面に設けたハトメ金具６との関係を示す説明図である。（実施例３）
【符号の説明】
１    のぼり
２    のぼり生地状面の袋部
３    ひも状のチチ
2005258368.tif 000007
４    Ｗ形状折り曲げ部
５    ホック
2005258368.tif 000008
６    ハトメ金具
７    簡易留め具を有するチチ紐
８    受け部
2005258368.tif 000009
【図１】
2005258368.tif 000012
【図２】
2005258368.tif 000013
【図３】
2005258368.tif 000014
【図４】
2005258368.tif 000015
【図５】
2005258368.tif 000016
【図６】
2005258368.tif 000017
【図７】
2005258368.tif 000018
【手続補正書】
【提出日】平成16年6月28日(2004.6.28)
【手続補正２】
【補正対象書類名】明細書
【補正対象項目名】００２８
【補正方法】変更
【補正の内容】
【００２８】
【図１】            本発明ののぼり生地１の上部に、一端を閉じた袋状の横棒差込部２を構成した状態の説明図である。（実施例１）
【手続補正３】
【補正対象書類名】明細書
【補正対象項目名】００２９
【補正方法】変更
【補正の内容】
【００２９】
【図２】            Ｗ形状４に折り曲げられたチチの説明図である。（実施例１）
【手続補正４】
【補正対象書類名】明細書
【補正対象項目名】００３０
【補正方法】変更
【補正の内容】
【００３０】
【図３】            当該Ｗ形状４とチチ生地との縫い合わせを説明する図である。（実施例１）
【手続補正５】
【補正対象書類名】明細書
【補正対象項目名】００３１
【補正方法】変更
【補正の内容】
【００３１】
【図４】            のぼりに設けられたチチ紐の説明図である。（実施例１）
【手続補正６】
【補正対象書類名】明細書
【補正対象項目名】００３２
【補正方法】変更
【補正の内容】
【００３２】
【図５】            本発明の説明図である。（実施例１）
【手続補正７】
【補正対象書類名】明細書
【補正対象項目名】００３３
【補正方法】変更
【補正の内容】
【００３３】
【図６】            従来ののぼりの取り付け状況を説明する参考図である。
【図７】            従来ののぼりの取り付け状況を説明する参考図である。
【手続補正８】
【補正対象書類名】明細書
【補正対象項目名】００３４
【補正方法】変更
【補正の内容】
【００３４】
【図８】            のぼり上部に設けられた、一端を閉じて袋状の横棒差込部２とのぼり生地側面に設けたホック５との関係を示す説明図である。（実施例２）
【手続補正９】
【補正対象書類名】明細書
【補正対象項目名】００３５
【補正方法】変更
【補正の内容】
【００３５】
【図９】            のぼり生地側面に設けられたホック５とチチに設けられたもう片方のホック５′の関係を説明する参考図である。（実施例２）
【手続補正１０】
【補正対象書類名】明細書
【補正対象項目名】００３６
【補正方法】変更
【補正の内容】
【００３６】
【図１０】            両端に差し込み部８と受け部８′を有する簡易留め具７を説明する参考図である。図中Ａ、Ｂ、Ｃは簡易留め具の装着状況である。（実施例３）
【手続補正１１】
【補正対象書類名】明細書
【補正対象項目名】００３７
【補正方法】変更
【補正の内容】
【００３７】
【図１１】            のぼり上部に設けられた、一端を閉じて袋状の横棒差込部２とのぼり生地側面に設けたハトメ金具６との関係を示す説明図である。（実施例３）
【手続補正１３】
【補正対象書類名】図面
【補正対象項目名】図８
【補正方法】追加
【補正の内容】
【図８】
2005258368.tif 000019
【手続補正１４】
【補正対象書類名】図面
【補正対象項目名】図９
【補正方法】追加
【補正の内容】
【図９】
2005258368.tif 000020
【手続補正１５】
【補正対象書類名】図面
【補正対象項目名】図１０
【補正方法】追加
【補正の内容】
【図１０】
2005258368.tif 000021
【手続補正１６】
【補正対象書類名】図面
【補正対象項目名】図１１
【補正方法】追加
【補正の内容】
【図１１】
2005258368.tif 000022